(57)【要約】【課題】  身長の異なる複数人の理美容師で共有する際の不都合を解消することのできるキャスター付き理美容用ワゴンを提供する。【解決手段】  本発明のキャスター付き理美容用ワゴン１は、支持脚２を複数本有するフレーム４に、棚板５又は／及びトレイ６が設けられたものである。複数本の支持脚２は外パイプ８に内杆９がスライド可能に挿入され、両パイプの長さを調節できる長さ調節機構１０を備えている。内杆９の下端にキャスター７が取り付けられている。【選択図】図１
2020202890.tif 000002
【特許請求の範囲】
【請求項１】
下端にキャスターを備えた支持脚を複数本有するフレームに、棚板又は／及びトレイが設けられたキャスター付き理美容用ワゴンにおいて、
前記複数本の支持脚の夫々は、外パイプと、その内側にスライド可能に挿入された内杆と、内杆の下端に取り付けられたキャスターと、外パイプへの内杆の挿入長を調節して所望の位置決め部に固定でき、当該固定を緩めて内杆を外パイプ内でスライド可能とすることもできる長さ調節機構とを備え、
前記位置決め部は内杆の軸方向に間欠的にあり、
前記長さ調節機構は外パイプの外側から操作することができる、
ことを特徴とするキャスター付き理美容用ワゴン。
【請求項２】
請求項１記載のキャスター付き理美容用ワゴンにおいて、
内杆の表面に、位置決め部の位置を示す目印が表示された、
ことを特徴とするキャスター付き理美容用ワゴン。
【請求項３】
請求項１又は請求項２記載のキャスター付き理美容用ワゴンにおいて、
長さ調節機構が最下段のトレイ又は棚板よりも下方に設けられた、
ことを特徴とするキャスター付き理美容用ワゴン。
【請求項４】
請求項１から請求項３のいずれか１項に記載のキャスター付き理美容用ワゴンにおいて、
長さ調節機構の操作部が外パイプの外側にある、
ことを特徴とするキャスター付き理美容用ワゴン。
【請求項５】
請求項１から請求項３のいずれか１項に記載のキャスター付き理美容用ワゴンにおいて、
長さ調節機構に止めネジがあり、その操作部が外パイプの外側であって且つフレームの内側空間内に突出している、
ことを特徴とするキャスター付き理美容用ワゴン。
【請求項６】
請求項１から請求項５のいずれか１項に記載のキャスター付き理美容用ワゴンにおいて、
外パイプと内杆の長さが、内杆を外パイプ内に収容したときのキャスター付き理美容用ワゴンの縦寸法、横寸法及び高さ寸法の合計が宅配便での配送が可能な規格寸法以下となるように設計されている、
ことを特徴とするキャスター付き理美容用ワゴン。
【発明の詳細な説明】
【技術分野】
【０００１】
本発明は、理容室や美容室（以下、「理美容室」という。）で使用される理美容用ワゴンであって、当該ワゴンの下端にキャスターを備えたキャスター付き理美容用ワゴンに関する。
【背景技術】
【０００２】
理美容室では、鋏、剃刀、櫛、化粧品等の各種理美容道具を載せる台としてキャスター付き理美容用ワゴンが利用されている（特許文献１〜３）。これら特許文献１〜３のキャスター付き理美容用ワゴンは四本の脚に棚板やトレイが設けられており、この棚板やトレイに理美容道具を載せたり収容したりすることができる。
【０００３】
複数人の従業員が働く理美容室では、キャスター付き理美容用ワゴンを何人かの理美容師で共有することがある。共有する理美容師の身長はまちまちであり、ある理美容師にとっては丁度よい高さでも、他の理美容師にとっては高すぎる或いは低すぎるといった不都合があった。
【０００４】
キャスター付き理美容用ワゴンは、工場で製造され、卸商や小売商に出荷されたり、需要者に直接送られたりしている。送る製品数が少ない場合は宅配便が使用される。宅配便で送ることのできる梱包後のサイズ（縦、横、幅の合計寸法）には制約がある。また、サイズによって送料が異なる。送料はいずれのサイズであっても近年急騰している。キャスター付き理美容用ワゴンはキャスターの分だけ梱包後の縦寸法が長くなり、宅配代が嵩む傾向にある。サイズがワンランク上になると送料が高くなる。
【先行技術文献】
【特許文献】
【０００５】
【特許文献１】特開２０１７−１１３０６０号公報
【特許文献２】特開２０１５−０７３６２０号公報
【特許文献３】特開２００６−２５５３９９号公報
【発明の概要】
【発明が解決しようとする課題】
【０００６】
本発明は前記のような事情を鑑みて開発されたものであり、その解決課題は、身長の異なる複数人の理美容師で共有する場合であっても、使用する理美容師の背丈に合わせて、高さ調節可能であり、しかも、梱包後のサイズを宅配便扱いできるように小型化でき、送料の低減もできるキャスター付き理美容用ワゴンを提供することにある。
【課題を解決するための手段】
【０００７】
本発明のキャスター付き理美容用ワゴンは、複数本の支持脚が方形状に連結されたフレームに、理美容道具を収容可能なトレイ又は／及び棚板が設けられ、支持脚の下に移動用のキャスターが取り付けられた理美容用ワゴンであって、支持脚の夫々が、外パイプに内パイプがスライド可能に挿入されており、内パイプの下端にキャスターが取り付けられている。前記外パイプと内パイプに長さ調節機構があり、長さ調節機構は外パイプと内パイプを所定のスライド位置に固定することも固定を緩めることもでき、緩めることにより外パイプへの内パイプの挿入長（スライド長）を間欠的に調節することができる。内パイプのスライド調節により、キャスターの下端（底面）から理美容用ワゴンの上端までの高さを調節可能とした。
【発明の効果】
【０００８】
本発明のキャスター付き理美容用ワゴンは次のような効果がある。
（１）外パイプと内パイプのスライド長を調節することで高さ調節が可能であるため、身長の異なる複数人の理美容師が使用する際の不都合を解消することができる。
（２）外パイプの長さを短くし、内パイプの長さを長くすれば、外パイプ内に内パイプをキャスターの付け根まで挿入することにより支持脚全体の長さが短くなり、梱包後の縦寸法が短くなり、宅配便で扱い可能なサイズに収めることもでき、送料の低減に資する。
【図面の簡単な説明】
【０００９】
【図１】本発明のキャスター付き理美容用ワゴンの一例であって、（ａ）は支持脚の内パイプの全体を外パイプに収めた状態の斜視図、（ｂ）は支持脚の内パイプの一部を外パイプから引き出した状態の斜視図。
【図２】支持脚の一例であって、（ａ）は内パイプの全体を外パイプに収めた状態を示す側面図、（ｂ）は内パイプの一部を外パイプから引き出した状態の側面図。
【図３】（ａ）は図１（ａ）（ｂ）に示すキャスター付き理美容用ワゴンの長さ調節機構の分解説明図、（ｂ）は長さ調節機構の他例の側面図、（ｃ）は（ａ）のＯ部詳細図。
【図４】本発明のキャスター付き理美容用ワゴンのフレームであって、（ａ）は内パイプの全体を外パイプに収めた状態の斜視図、（ｂ）は内パイプの一部を外パイプから引き出した状態の斜視図。
【図５】支持脚の他例であって、（ａ）は内パイプの全体を外パイプに収めた状態の縦断面図、（ｂ）は内パイプの一部を外パイプから引き出した状態の縦断面図。
【発明を実施するための形態】
【００１０】
（実施形態）
［フレーム］
本発明のキャスター付き理美容用ワゴンの実施形態の一例を、図面を参照して説明する。一例として図１（ａ）（ｂ）〜図３に示すキャスター付き理美容用ワゴン１は、４本の支持脚２を棒状或いはパイプ状の細長の連結材３で連結した方形枠状のフレーム４と、フレーム４の上部に設けた棚板５と、棚板５の下方に設けたトレイ６と、キャスター７を備えている。支持脚２は外パイプ８内に細長の内杆９がスライド可能に挿入され、その内杆９を所望のスライド位置で固定できる長さ調節機構１０を備えている。内杆９は外パイプ８よりも外径の細いパイプが適する。内杆９の下端にはキャスター７が取り付けられる。キャスター７は内杆９を挿入する前に取り付けることも、挿入後に取り付けることもできる。以下、説明の便宜上、内杆９を内パイプ９と記す。
【００１１】
支持脚２の本数は３本でも、５本以上でもよい。棚板５、トレイ６にはこの種ワゴンで使用されている汎用のものを用いることができる。トレイ６の段数、段差等は任意に設計することができる。前記連結材３は棚板５やトレイ６を載せて固定したり、横方向にスライドさせて出し入れしたりすることのできるガイドの機能もある。連結材３には引き出した棚板５やトレイ６が連結材３から脱落するのを防止するストッパーを設けることができる。
【００１２】
［外パイプ、内パイプ］
図２（ａ）（ｂ）、図３の外パイプ８も内パイプ９も金属製或いは樹脂製のパイプである。内パイプ９には外パイプ８内に常時収容されている部分（以下、「常時収容部」という。）９ａ（図３）を設けて、外パイプ８から抜け落ちにくくなるようにしてある。常時収容部９ａの長さは少なくとも内パイプ９の全長の三分の一程度、好ましくは全長の半分程度とすることができる。内パイプ９の下端にはキャスター７が取り付けられている。キャスター７の形状、構造は、ワゴンを移動可能であれば汎用のものを選択して使用することができる。キャスター７は内パイプ９を外パイプ８内に挿入する前、或いは挿入後に内パイプ９に取り付けることができる。
【００１３】
［長さ調節機構の実施例１］
長さ調節機構１０の一例を図２（ａ）（ｂ）、図３に示す。長さ調節機構１０は外パイプ８内にスライド可能に挿入された内パイプ９を所定位置で固定するものであり、外パイプ８に形成された二つ割りのネジ部１１と、ネジ部１１の上の上連結具１２と、内パイプ９の位置決め部１３と、下連結具（操作部）１４で構成されている。下連結具１４はネジ部１１に螺合することができ、下方から内パイプ９を差し込むことができる内孔がある。位置決め部１３は内パイプ９の外周に一段突出したリング状の凸部１３ａであり、内パイプ９の軸方向に一定間隔で形成されている。下連結具１４を右回転（締め付け回転）すると外パイプ８の下端のネジ部１１が締め付けられ、ネジ部１１の径が縮小されて、下方細りのテーパ部２０の下端部１１ａがリング状の凸部１３ａの上縁に係止して、内パイプ９が当該凸部１３ａの上に固定されて位置決めされるようにしてある。このような位置決めにより、ワゴンに縦方向の外力や荷重が掛かっても固定が緩まず、ワゴンの高さが安定する。
【００１４】
前記のように固定された下連結具１４を左回転（緩め回転）させるとネジ部１１の締め付けが緩み、凸部１３ａの上縁への下端部１１ａの係止が外れて、内パイプ９がその軸方向にスライド可能となるようにしてある。下連結具１４は外パイプ８の下部であって、外パイプ８の外側にあり、外パイプ８の外側から回転操作できるようにしてある。
【００１５】
位置決め部１３はリング状の凸部以外の形状、構造、例えば、図３（ｂ）のように上下のリング状の凸部１３ａ間の径を下方に細くなるテーパにすることもできる、このようにすることにより、外パイプ８の下端のネジ部１１が凸部１３ａの上縁に係止し易くなり、位置決めが確実になる。位置決め部１３はこれら以外の形状や構造であってもよい。
【００１６】
［長さ調節機構の実施例２］
長さ調節機構１０の他例として図４（ａ）（ｂ）、図５（ａ）（ｂ）に示すものは、外パイプ８に位置決め部（位置決め用凹部）１５があり、その外側にナット１６が固定されており、そのナット１６のネジ孔に止めネジ（止め具）１７がねじ込まれている。この長さ調節機構１０では、外パイプ８からナット１６のネジ孔にねじ込まれた止め具１７の先端が位置決め用凹部１５に係止して、内パイプ９を外パイプ８に連結固定できるようにしてある。止め具１７はその摘み（操作部）１８を緩む方向に回転（通常は左回転）すると後退して、位置決め用凹部１５への係止が外れて、内パイプ９が外パイプ８内をスライド可能となるようにしてある。止め具１７は外パイプ８の下部であって、外パイプ８の外側に突出しており、外パイプ８の外側から回転操作できるようにしてある。操作部１８は図４のように、外パイプ８の外側であって且つフレーム４の内側空間１９（図４）内に突出している。止め具１７をこの向きに突出させることで、作業時に足や洋服などが引っかかり、キャスター付き理美容用ワゴンが倒れたり、理美容道具を落としたりするという問題を回避することができる。止め具１７の突出方向はフレーム４の内側空間１９（図４）内であればどの方向でもよい。止めネジ（止め具）１７は図示した以外の形状、構造であってもよい。
【００１７】
前記実施形態では、長さ調節機構１０を最下段のトレイ６よりも下に設けてある。長さ調節機構１０をこの位置に設けることで、トレイ６の設置位置が制約されない。
【００１８】
［目印］
前記いずれの長さ調節機構１０の場合も、位置決め部１３、１５の周囲には、数字、符号、記号、着色等の目印を表示して、外パイプ８内に挿入された内パイプ９の挿入位置（挿入長）や、外パイプ８から突出している内パイプ９の長さ等を確認できるようにしておくのが望ましい。この目印があると、４本の支持脚２の内パイプ９の挿入位置を確認し易くなり、４本の支持脚２の長さを揃えやすくなる。
【００１９】
前記目印が色表示のときは、例えば、差込み長や突出長が５０ｍｍ以下の場合は青、１００ｍｍ以下の場合は緑、１５０ｍｍ以下の場合は黄色のように表示するものが含まれる。これらは単独で表示することも二以上を表示することもできる。
【００２０】
内パイプ９のスライド長は使う人の背丈に合わせて、使いやすい長さに調節できるが、出荷時には内パイプ９を最も深く挿入して支持脚２を最短にするのが望ましい。運送コストの削減のためには、宅配サイズのできるだけ小さなサイズに収まるようにするのが望ましい。例えば、外パイプ８内に内パイプ９を最も奥まで挿入したときに、キャスター付き理美容用ワゴンの縦寸法、横寸法及び高さ寸法の合計が１６００ｍｍ未満、好ましくは１４００ｍｍ未満となるようにするのがよい。この場合、内パイプ９を外パイプ８から引き出したときには、横寸法及び高さ寸法の合計が１６００ｍｍ或いは１４００ｍｍを超えてもよい。
【産業上の利用可能性】
【００２１】
前記実施形態の構成は一例である。本発明の課題を解決できれば、他の構成、寸法等であってもよい。固定機構は、外パイプ８内にボールが収納され、そのボールがバネで自動的に外側に押し出されて、内パイプ９の位置決め部に嵌合して、自動的に位置決めされるものとか、その他の機構であってもよい。本発明のキャスター付き理美容用ワゴンは他の分野、例えば、ホテルやレストランで調理用器具、調理用材料、料理などを搬送したり、病院で医療器具を搬送したりするのに利用することもできる。利用分野に応じて、使用に適する形状、サイズなどに変更するのが望ましい。例えば、トレイを棚板に代えるとか、棚板をトレイにするなどとすることができる。
【符号の説明】
【００２２】
１      キャスター付き理美容用ワゴン
２      支持脚
３      連結材
４      フレーム
５      棚板
６      トレイ
７      キャスター
８      外パイプ
９      内パイプ（内杆）
９ａ    常時収容部
１０    長さ調節機構
１１    ネジ部
１１ａ  下端部
１２    上連結具
１３    位置決め部
１３ａ  凸部
１４    下連結具（操作部）
１５    位置決め部（位置決め用凹部）
１６    ナット
１７    止めネジ（止め具）
１８    （止め具の）操作部
１９    （フレームの）内側空間
２０    テーパ部
【図１】
2020202890.tif 000003
【図２】
2020202890.tif 000004
【図３】
2020202890.tif 000005
【図４】
2020202890.tif 000006
【図５】
2020202890.tif 000007